(57)【要約】      （修正有）【課題】注文情報をＬＣＤ画面窓に表示させ、プリント出力装置を通じて注文伝票を作成して、会員管理及び業務効率を向上させること。【解決手段】顧客の有線又は無線電話を通じて送信された電話番号が保存されたデータベース上の電話番号の中に存在するかどうかを判断する手段とデータベース１４に保存された電話番号の中で着信された電話番号が存在すれば会員顧客として認識して顧客管理プログラムを実行した後、入力された注文情報を処理し、データベース１４に保存された電話番号の中で着信された電話番号が存在しなければ新規顧客として認識して一般電話に信号を連結させる手段とＬＣＤ画面窓に出力する手段とＬＣＤ画面窓を通じて入力された顧客の注文情報はプリント出力装置を通じて用紙上に注文伝票形態で印刷して出力する手段とから成る。【選択図】図１
2006012020.tif 000002
【特許請求の範囲】
【請求項１】
インターネットショッピングモールに会員として加入されデータベース上に保存された会員の情報を各加盟店に設置された注文確認装置へ送ってデータベース化するステップと；
上記注文確認装置は発信番号表示サービスを利用して顧客の有線又は無線電話を通じて送信された電話番号が保存されたデータベース上の電話番号の中に存在するかどうかを判断するステップと；
上記データベースに保存された電話番号の中で着信された電話番号が存在すれば会員顧客として認識して顧客管理プログラムを実行した後、入力された注文情報を処理し、上記データベースに保存された電話番号の中で着信された電話番号が存在しなければ新規顧客として認識して一般電話に信号を連結させるステップと；
注文確認装置へデータを送るＰＳＴＮ交換器の電話番号と一致する電話が着信された場合、自動的にデータ受信モードに転換されてデータを受信した後、ＬＣＤ画面窓に出力するステップと；
上記ＬＣＤ画面窓を通じて入力された顧客の注文情報はプリント出力装置を通じて用紙上に注文伝票形態で印刷して出力するステップと；
から成ることを特徴とする発信番号表示を利用した注文確認方法。
【請求項２】
顧客の注文情報を土台に取り引きされた情報をオンライン上のインターネットショッピングモールのウェブサーバーに送ってオンライン上の取り引き実績に認証してアップデートされるようにするステップを更に含むことを特徴とする請求項１記載の発信番号表示を利用した注文確認方法による取り引き実績のオンライン実績認証方法。
【請求項３】
上記注文確認装置と電話連結されずに留守番中の表示になれば、留守番中の信号値をインターネットショッピングモールに送って該当の加盟店を表示するアイコンが非活性化され留守番中であることを知らせるようにするステップを更に含むことを特徴とする請求項１記載の発信番号表示を利用した注文確認方法。
【請求項４】
コールセンターを通じて注文を受付された顧客の注文情報を交換装置を通じて注文確認装置へ送るステップと；
上記注文確認装置は発信番号表示サービスを利用して交換装置に付与された電話番号と保存手段に保存された電話番号を対照して一致するかどうかを判断するステップと；
一致すれば通信モードに変換して交換装置のルータと連結し顧客の注文情報データを受信し、一致しなければ一般電話モードに変換して電話に連結するステップと；
注文確認装置へデータを送るＰＳＴＮ交換器の電話番号と一致する電話が着信された場合、自動的にデータ受信モードに転換されてデータを受信した後、ＬＣＤ画面窓に出力するステップと；
上記ＬＣＤ画面窓を通じて表示された顧客の注文情報はプリント出力装置を通じて用紙上に注文伝票形態で印刷して出力するステップと；
から成ることを特徴とする発信番号表示を利用した注文確認方法。
【請求項５】
インターネットショッピングモールに会員として加入されウェブサーバーのデータベース上に保存された会員の情報を加盟店に設置された注文確認装置に送って保存する手段と；
上記注文確認装置は発信番号表示サービスを利用して顧客の有線又は無線電話を通じて送信された電話番号が保存されたデータベース上の電話番号の中に存在するかどうかを判断する手段と；
上記データベースに保存された電話番号の中で着信された電話番号が存在すれば会員顧客として認識して顧客管理プログラムを実行した後、入力された注文情報を処理し、上記のデータベースに保存された電話番号の中で着信された電話番号が存在しなければ新規顧客として認識して一般電話に信号を連結させる手段と；
注文確認装置へデータを送るＰＳＴＮ交換器の電話番号と一致する電話が着信された場合、自動的にデータ受信モードに転換されてデータを受信した後、ＬＣＤ画面窓に出力する手段と；
上記ＬＣＤ画面窓を通じて入力された顧客の注文情報はプリント出力装置を通じて用紙上に注文伝票形態で印刷して出力する手段と；
顧客の注文情報を土台に取り引きされた情報をオンライン上のインターネットショッピングモールウェブサーバーへ送ってオンライン上の取り引き実績として認証してアップデートされるようにする手段と；
から成ることを特徴とする発信番号表示を利用した注文確認システム。
【請求項６】
上記注文確認装置は、ＰＳＴＮ網に連結されて顧客の有線又は無線電話を通じて送信される注文情報データを受信するモデム部と、上記有線又は無線電話機の発信者番号表示を確認するＣＩＤ処理部と、インターネット網に連結されて顧客の注文情報データを受信するＵＤＰ部と、利用者により設定される設定値によって通信環境を設定する通信変換部とから成る通信手段と；
顧客の注文情報を画面上に表示して注文内訳を入力できるように表示するＬＣＤ画面窓と、上記のＬＣＤ画面窓に表示された顧客の注文内訳を用紙上に印刷して出力するプリント出力装置と、制御部の制御を受けてＬＣＤ画面窓又はプリント出力装置に出力されるようにする出力変換部から成る出力手段と；
上記ＬＣＤ画面窓に表示されて顧客の注文情報を入力して注文伝票を作成して、顧客の取り引き内訳に対する情報をインターネットショッピングモールのウェブサーバーヘ送るために必要な情報を入力する入力手段と；
制御手段を運用する運用ソフトウェア及びインターネット網又はＰＳＴＮ網に送信されるデータを認識するための使用空間で使われる固定式保存部と、インターネットショッピングモールに会員として加入された顧客の情報を保存して、販売者側が顧客の有線又は無線電話を通じて通話で受け付けた内訳を簡単な入力で注文内訳を作成できるようにする顧客管理ソフトウェアを保存する移動式保存部とから成る保存手段と；
インターネット網又はＰＳＴＮ網に送信される顧客の注文情報を受信して、入力手段を通じて入力された顧客の注文内訳をＬＣＤ画面窓に表示し、上記注文内訳はプリント出力装置を通じて用紙上に印刷して出力できるようにし、顧客の取り引き内訳をインターネットショッピングモールのウェブサーバーへ送られるように該当の構成装置に制御信号により指示して制御できるようにする制御手段と；
から成ることを特徴とする請求項５記載の発信番号表示を利用した注文確認システム。
【請求項７】
コールセンターを通じて注文を受付された顧客の注文情報を交換装置を通じて注文確認装置へ送る手段と；
上記注文確認装置は発信番号表示サービスを利用して交換装置に付与された電話番号と保存手段に保存された電話番号を対照して一致するかどうかを判断する手段と；
一致すれば通信モードに変換して交換装置のルータと連結して顧客の注文情報データを受信し、一致しなければ一般電話モードに変換して電話に連結する手段と；
ＬＣＤ画面窓を通じて表示された顧客の注文情報はプリント出力装置を通じて用紙上に注文伝票形態で印刷して出力する手段と；
から成ることを特徴とする発信番号表示を利用した注文確認システム。
【請求項８】
上記交換装置は、各加盟店の注文確認装置の数によりルータの数が指定され、モデム部とＭＰＵメモリー部から成り、ＰＳＴＮ網を通じてデータを送受信されうようにするマルチポートルータと；
上記マルチポートルータとＲＳ２３２Ｃ通信で連結されてＰＳＴＮ網又はインターネット網でデータ送信の時、データ変換作業が成り立つＰＳＴＮゲートウェーサーバー部と；
インターネットショッピングモールのデータベース部を検索して注文情報データをリアルタイムで取り出し、またインターネットショッピングモールから送信された注文情報データを受信してＰＳＴＮゲートウェーサーバー部へ送るウェブゲートウェーサーバー部と；
インターネットショッピングモールと各加盟店に設置された注文確認装置相互間に送信されるデータを所定の分類体系によって保存するバックアップサーバー部と；
から成ることを特徴とする請求項７記載の発信番号表示を利用した注文確認システム。
【発明の詳細な説明】
【技術分野】
【０００１】
本発明は、発信番号表示を利用した注文確認システムと方法、及びこれを利用した取り引き実績のオンライン実績認証方法に関する。
【背景技術】
【０００２】
一般的に現代社会はデジタル革命による情報通信分野とインターネットの目覚ましい発展で情報化時代を迎え、コンピューターや移動通信端末機などの媒体を通じて、自分に必要な情報をリアルタイムで提供を受けることができるようになった。
【０００３】
単に軍事目的用で使われていたインターネットは、最近になって特定分野に限定されないで広範囲に使われるようになり、また、実生活の一部分になってきている。インターネット利用者の数も急速に増えていて、これによってインターネット利用者に特定サービスを提供するサービス提供者の数も急速に増加している趨勢である。
【０００４】
インターネットの急速な発展とともにインターネットの利用人口も幾何級数的に増加しており、インターネットを利用した電子商取引は多様な分野を通じて大いに活性化しているのが実情であり、主にウェブ・ツー・ウェブ方式を通じて電子商取引が成り立っているのが実情である。
【０００５】
上記のウェブ・ツー・ウェブ方式は、商品の販売者が直接インターネットショッピングモールを運営する場合に主に適用されるが、インターネットショッピングモールの管理者が一般の零細販売者たちを会員募集して商品に関する注文情報を販売者たちに供給してくれるサービスの場合、零細業者たちはコンピューターの設置による費用の問題が理由で、ウェッブ・ツー・ウェッブ方式よりは、ウェッブ・ツー・フォン方式が主に利用されている。
【０００６】
従来のウェッブ・ツー・フォン方式を利用したオンライン注文の場合、インターネットショッピングモールの管理者がショッピングモールサイトで受け付けた商品の注文情報を、実際に商品販売者に送ろうとする時には電話回線を利用するが、このような場合、管理者は注文情報に係るデータを送ることから商品販売者は、一般電話回線以外にデータ信号を自動に着信して処理することができる専用端末機が設置された別途の電話回線を取り揃えることによって、初期の設置費用が増加するだけでなく専用端末機が設置された電話回線を通じて一般電話に出ようとする場合、利用者がいちいちデータ送信なのか一般電話なのかを確認しなければならない不便さがある。
【０００７】
上記のウェッブ・ツー・フォン方式を通じたオンライン注文を利用する場合、該当の商品販売者は電話を通じて商品注文受付の時、いちいち手記で所定のメモ用紙に注文内訳を記載した後、上記注文内訳によって該当の商品を提供するようになるが、特に配達を専門的に扱う店の場合には忙しい時間帯にいちいち手記で記載すると業務処理速度が低下し、誤記載によって配達の遅延が発生する可能性もあり、業務効率性が低下し、臨時かつ方便的に受付けた注文内訳を記載したメモ用紙だけでは、体系的で持続的な会員管理が維持しにくく、また消費者がインターネットを使うことができない場合には、購買したい商品を注文することができず、インターネットを使うことができる環境下にある消費者だけが商品を注文することができる、という問題点がある。
【０００８】
一方、従来の方式ではインターネットを通じて所定のコンテンツを提供するサイトに会員として加入した利用者は、通常、該当のインターネットサイトに接続して購買したい商品を選択した後、インターネット網や公衆電話網を通じて該当の販売業者にコンピューター、ファックスその他の受信装置で送るようになるが、このような場合利用者は自分が加入したオンラインサイトのショッピングモールを通じて購買した場合にだけ、購買実績に対するマイレージ、ポイントなどの恵みを受けることができるが、有線又は無線電話機を通じてオンラインコンテンツ加盟店登録業店で所定の商品を購買した場合には、オンライン利用実績に対する認証を受けることができなくなる。
【０００９】
また、従来の方式は販売業者側で既に構築した顧客データベースの電話番号と同じ電話番号で注文電話を受けた場合、既に入力された顧客の情報がコンピューターモニター上に表示されて、顧客の注文内訳を入力して表示するようになっているが、上記の顧客注文及び購買情報をオンラインを通じてメインサーバーで別に送るためには、インターネットが可能なコンピューターを別に具備しなければならないから経済的な負担となり、これにより体系的で持続的な会員管理が成り立たない問題点がある。
【発明の開示】
【発明が解決しようとする課題】
【００１０】
本発明は、このような従来の方式の問題点に鑑みてなされたものであり、オンライン上のコンテンツを提供するサイトに加入した利用者がインターネットだけでなく有線又は無線電話を利用して所定の財貨及び用役を提供する販売業者に商品注文情報を電話網で送る場合、販売業者側に設置された端末機が発信番号表示サービスを通じて送信された電話番号を比較し、分析して商品注文情報電話なのか一般電話なのかを判断した後、これによって着信できるようにするが、上記の端末機上に顧客の情報が表示されるようにした後、入力された顧客の注文情報を所定の出力媒体を通じて印刷するようにして、上記方式を通じて所定の商品を購買するようになる場合、購買内訳に対する情報を使用者が加入したオンライン上のコンテンツを提供するメインサーバーへ送ってオンラインの利用実績に認証することができるようにする発信番号表示を利用した注文確認システムと方法及びこれを利用した取り引き実績のオンライン実績認証方法を提供することを課題とする。
【課題を解決するための手段】
【００１１】
そのために、本発明の発信番号表示を利用した注文確認方法は、インターネットショッピングモールに会員として加入されデータベース上に保存された会員の情報を各加盟店に設置された注文確認装置へ送ってデータベース化するステップと；上記注文確認装置は発信番号表示サービスを利用して顧客の有線又は無線電話を通じて送信された電話番号が保存されたデータベース上の電話番号の中に存在するかどうかを判断するステップと；上記データベースに保存された電話番号の中で着信された電話番号が存在すれば会員顧客として認識して顧客管理プログラムを実行した後、入力された注文情報を処理し、上記データベースに保存された電話番号の中で着信された電話番号が存在しなければ新規顧客として認識して一般電話に信号を連結させるステップと；注文確認装置へデータを送るＰＳＴＮ交換器の電話番号と一致する電話が着信された場合、自動的にデータ受信モードに転換されてデータを受信した後、ＬＣＤ画面窓に出力するステップと；上記ＬＣＤ画面窓を通じて入力された顧客の注文情報はプリント出力装置を通じて用紙上に注文伝票形態で印刷して出力するステップと；から成ることを特徴とする。
本発明の発信番号表示を利用した注文確認方法による取り引き実績のオンライン実績認証方法は、顧客の注文情報を土台に取り引きされた情報をオンライン上のインターネットショッピングモールのウェブサーバーに送ってオンライン上の取り引き実績に認証してアップデートされるようにするステップを更に含むことを特徴とする。
本発明の他の発信番号表示を利用した注文確認方法は、上記注文確認装置と電話連結されずに留守番中の表示になれば、留守番中の信号値をインターネットショッピングモールに送って該当の加盟店を表示するアイコンが非活性化され留守番中であることを知らせるようにするステップを更に含むことを特徴とする。
本発明のさらに他の発信番号表示を利用した注文確認方法は、コールセンターを通じて注文を受付された顧客の注文情報を交換装置を通じて注文確認装置へ送るステップと；上記注文確認装置は発信番号表示サービスを利用して交換装置に付与された電話番号と保存手段に保存された電話番号を対照して一致するかどうかを判断するステップと；一致すれば通信モードに変換して交換装置のルータと連結し顧客の注文情報データを受信し、一致しなければ一般電話モードに変換して電話に連結するステップと；注文確認装置へデータを送るＰＳＴＮ交換器の電話番号と一致する電話が着信された場合、自動的にデータ受信モードに転換されてデータを受信した後、ＬＣＤ画面窓に出力するステップと；上記ＬＣＤ画面窓を通じて表示された顧客の注文情報はプリント出力装置を通じて用紙上に注文伝票形態で印刷して出力するステップと；から成ることを特徴とする。
また、本発明の発信番号表示を利用した注文確認システムは、インターネットショッピングモールに会員として加入されウェブサーバーのデータベース上に保存された会員の情報を加盟店に設置された注文確認装置に送って保存する手段と；上記注文確認装置は発信番号表示サービスを利用して顧客の有線又は無線電話を通じて送信された電話番号が保存されたデータベース上の電話番号の中に存在するかどうかを判断する手段と；上記データベースに保存された電話番号の中で着信された電話番号が存在すれば会員顧客として認識して顧客管理プログラムを実行した後、入力された注文情報を処理し、上記のデータベースに保存された電話番号の中で着信された電話番号が存在しなければ新規顧客として認識して一般電話に信号を連結させる手段と；注文確認装置へデータを送るＰＳＴＮ交換器の電話番号と一致する電話が着信された場合、自動的にデータ受信モードに転換されてデータを受信した後、ＬＣＤ画面窓に出力する手段と；上記ＬＣＤ画面窓を通じて入力された顧客の注文情報はプリント出力装置を通じて用紙上に注文伝票形態で印刷して出力する手段と；顧客の注文情報を土台に取り引きされた情報をオンライン上のインターネットショッピングモールウェブサーバーへ送ってオンライン上の取り引き実績として認証してアップデートされるようにする手段と；から成ることを特徴とする。
そして、上記注文確認装置は、ＰＳＴＮ網に連結されて顧客の有線又は無線電話を通じて送信される注文情報データを受信するモデム部と、上記有線又は無線電話機の発信者番号表示を確認するＣＩＤ処理部と、インターネット網に連結されて顧客の注文情報データを受信するＵＤＰ部と、利用者により設定される設定値によって通信環境を設定する通信変換部とから成る通信手段と；顧客の注文情報を画面上に表示して注文内訳を入力できるように表示するＬＣＤ画面窓と、上記のＬＣＤ画面窓に表示された顧客の注文内訳を用紙上に印刷して出力するプリント出力装置と、制御部の制御を受けてＬＣＤ画面窓又はプリント出力装置に出力されるようにする出力変換部から成る出力手段と；上記ＬＣＤ画面窓に表示されて顧客の注文情報を入力して注文伝票を作成して、顧客の取り引き内訳に対する情報をインターネットショッピングモールのウェブサーバーヘ送るために必要な情報を入力する入力手段と；制御手段を運用する運用ソフトウェア及びインターネット網又はＰＳＴＮ網に送信されるデータを認識するための使用空間で使われる固定式保存部と、インターネットショッピングモールに会員として加入された顧客の情報を保存して、販売者側が顧客の有線又は無線電話を通じて通話で受け付けた内訳を簡単な入力で注文内訳を作成できるようにする顧客管理ソフトウェアを保存する移動式保存部とから成る保存手段と；インターネット網又はＰＳＴＮ網に送信される顧客の注文情報を受信して、入力手段を通じて入力された顧客の注文内訳をＬＣＤ画面窓に表示し、上記注文内訳はプリント出力装置を通じて用紙上に印刷して出力できるようにし、顧客の取り引き内訳をインターネットショッピングモールのウェブサーバーへ送られるように該当の構成装置に制御信号により指示して制御できるようにする制御手段と；から成ることを特徴とするのが好ましい。
また、本発明の他の発信番号表示を利用した注文確認システムは、コールセンターを通じて注文を受付された顧客の注文情報を交換装置を通じて注文確認装置へ送る手段と；上記注文確認装置は発信番号表示サービスを利用して交換装置に付与された電話番号と保存手段に保存された電話番号を対照して一致するかどうかを判断する手段と；一致すれば通信モードに変換して交換装置のルータと連結して顧客の注文情報データを受信し、一致しなければ一般電話モードに変換して電話に連結する手段と；ＬＣＤ画面窓を通じて表示された顧客の注文情報はプリント出力装置を通じて用紙上に注文伝票形態で印刷して出力する手段と；から成ることを特徴とする。
そして、上記交換装置は、各加盟店の注文確認装置の数によりルータの数が指定され、モデム部とＭＰＵメモリー部から成り、ＰＳＴＮ網を通じてデータを送受信されうようにするマルチポートルータと；上記マルチポートルータとＲＳ２３２Ｃ通信で連結されてＰＳＴＮ網又はインターネット網でデータ送信の時、データ変換作業が成り立つＰＳＴＮゲートウェーサーバー部と；インターネットショッピングモールのデータベース部を検索して注文情報データをリアルタイムで取り出し、またインターネットショッピングモールから送信された注文情報データを受信してＰＳＴＮゲートウェーサーバー部へ送るウェブゲートウェーサーバー部と；インターネットショッピングモールと各加盟店に設置された注文確認装置相互間に送信されるデータを所定の分類体系によって保存するバックアップサーバー部と；から成ることを特徴とする。
【発明の効果】
【００１２】
本発明は、発信番号表示を利用して顧客がインターネットを利用する場合と有線又は無線電話を利用する場合、販売者側に設置された注文確認装置によってインターネット顧客のデータなのか一般電話なのかを確認した後、注文電話の時にはＬＣＤ画面窓に出力されるようにし、注文情報を入力して出力用紙上に注文伝票を出力できるようにし、顧客の取り引き内訳はインターネットショッピングモールのウェブサーバーへ送ってオンライン取り引き実績に認証されるようにすることで、インターネットを利用しないで一般の有線又は無線電話を利用して顧客が必要な商品の購買が成り立ち、オンラインを利用したことと等しい取り引き実績を認証してインターネットコンテンツの活性化に寄与する効果がある。
【００１３】
また、電話上で受け付けた顧客の注文情報を電算化し、保存して出力用紙上に印刷して伝票で使うようにすることで、業務処理プロセスを短縮し、業務効率を高めるようにし、顧客の管理を体系的に管理するようにして、別途のインターネット網を利用しなくても既存の電話回線だけでインターネット上の情報を提供したり提供を受けたりすることができるようになり、安い価格で電子商取引を実現させることができるので、大規模ショッピングモールだけでなく小規模商店での電子商取引が実現され、生活インターネットが可能となる効果がある。
【発明を実施するための最良の形態】
【００１４】
以下、図面を参照して本発明に係る発信番号表示を利用した注文確認システムと方法、及びこれを利用した取り引き実績のオンライン実績認証方法について詳しく説明する。
図１は本発明に係る注文確認システムを利用したオンライン実績認証過程を図示した構成図、図２は本発明に係る注文確認装置の斜視図、図３は本発明に係る注文確認装置の内部構成図、図４は本発明に係る注文確認システムの交換装置の構成図、図５は本発明に係る注文確認システムの交換装置の内部構成図である。
【００１５】
図１に図示されたように、利用者が所定のコンテンツを提供するインターネットショッピングモール１０に自分の情報、すなわち名前、住所、一般電話番号、携帯電話番号などを入力して会員として加入した後、インターネットを使うことができない環境で会員加入の時、登録した有線又は無線電話番号を利用してコンテンツを提供するインターネットショッピングモール１０の加盟店に所定の商品に対する注文、購買、予約などの取り引きが成り立つ場合、有線又は無線電話上で成立した取り引き実績をオンライン上の取り引き実績に認証することができるようにし、また上記インタネットショッピングモール１０に会員として加入した顧客が代表電話サービスであるコールセンター４０を利用してインタネットショッピングモール１０の加盟店に所定の商品に対する注文、購買、予約などの取り引きが成り立つ場合、オンライン上の取り引き実績で等しく認証されるようにすることで、オンライン加入会員のオフライン経路を通じる利用実績に対してもオンライン利用実績として認証されるように構成される。
【００１６】
上記のインタネットショッピングモール１０はインターネットを通じて多様な商品の情報を提供するようにするが、各加盟店が保有している商品に対する情報を相互共有してインターネット網又はＰＳＴＮ網（公衆交換電話網）を通じて商品情報に対する登録及び購買がリアルタイムで成り立つようにするものであり、上記のインターネットショッピングモール１０は接続部１１、会員認証部１２、システム運営部１３及びデータベース部１４から成る。
【００１７】
顧客はインターネットショッピングモール１０の接続部１１に接続した後、会員認証部１２からデータベース部１４を通じて会員権限が付与されているかどうかを確認するが、会員権限が付与されていなければ会員加入手続きを経て会員権限を受けるようにした後、システム運営部１３では利用者による命令語の入力を受けて、該当の命令語を実行し、ＡＳＰ（Active Server Pages）、ＣＧＩ（Common Gateway Interface）スクリプトを駆動してインターネット上で顧客が購買する物品の注文情報を保存したり、該当の加盟店の注文確認装置３０で注文情報データを提供する。
【００１８】
上記の実行スクリプトはインターネットショッピングモール１０のウェブサーバーの機能を拡張するための方策として使われるものであり、データベース部１４にアクセスして命令語にあたるデータを抽出及び入力されるデータを保存したりデータを削除、処理する機能を制御する。そして、上記のデータベース１４に保存された顧客の基本情報は、各加盟店の注文確認装置３０へ送信され、保存手段３４に保存されるようにし、各加盟店の注文確認装置３０から送信された顧客の取り引き内訳に対するデータを受信してデータベース部１４の該当するカテゴリー別に分類して指定されたレコードとフィールド上に掲載して保存されるようにする。
【００１９】
上記のデータベース部１４は、顧客がインターネットを通じて接続した場合、会員権限が付与された利用者であるかどうかの可否を確認できるように、会員に対する情報を所定の分類体系によるカテゴリー別で分類して保存しておいて、上記のデータベース部１４に保存された会員の基本情報は各加盟店の注文確認装置３０に送信されて保存手段３４に保存される。上記の各加盟店の注文確認装置３０を通じて注文された商品に対する取り引き内訳の送信を受けて、データベース部１４の該当するカテゴリー別に保存して顧客の情報がリアルタイムでアップデートされるようにする。
【００２０】
上記コールセンター４０は、通信会社が提供する代表電話サービス、例えば、１５８８や７００サービスなどを利用して顧客から送信される購買電話を代わりに受け付け、入力された顧客の注文情報を該当加盟店を指定して交換装置２０を通じて上記の加盟店の注文確認装置３０へ送り、上記注文確認装置３０はコールセンター４０から送信された顧客の注文情報を受信して出力用紙上に該当の注文情報を出力することができるようにする。
【００２１】
上記の交換装置２０と各加盟店に設置された注文確認装置３０の構成は以下で詳しく説明する。
（１）利用者は会員加入の時、必須入力事項である顧客の情報、すなわち住所、名前、一般電話番号、携帯電話番号及び付加情報を入力して、（２）顧客が加入したインターネットショッピングモールの加盟店サービスの利用を目的として自分の情報が利用されることに同意することを前提にウェブサーバー上に保存された顧客の必要情報を交換装置２０で送り、（３）上記交換装置２０は加盟店に設置された注文確認装置３０の保存手段３４へ顧客の該当データを送って保存することになる。
【００２２】
（４）上記の加盟店の注文確認装置３０に顧客の情報が保存された状態で顧客が有線又は無線電話を利用して加盟店に購買したい商品について注文、購買、予約、出物登録をすると販売者側は注文確認装置３０を通じて取引結果をデータ化して保存する。（５）上記の取り引き結果に係わるデータを交換装置２０へ送る。
【００２３】
（６）上記の交換装置２０はオンライン上のウェブサーバー１０へ送ることで、コンテンツを提供するインターネットショッピングモールのメインサーバーに取り引き実績が認証されるようにすることで、利用者がインターネットではない有線又は無線電話を利用して商品を注文してもオンライン上の取り引き実績に認証されるようにする、という取り引きサイクルが成り立つようにして、インターネットショッピングモールの加盟店は顧客の注文伝票に応じて所定の商品を顧客に提供できるようにする。
【００２４】
図２は本発明に係る注文確認装置３０の斜視図である。
図示されたように販売者側に設置される注文確認装置３０はインターネットを通じて顧客の注文、購買、予約、出物登録などの取り引き内訳に対するリアルタイムの送信出力と、有線又は無線電話による同等の取り引き内訳を電算データ化して、オンライン上のウェブサーバー１０に保存されて管理するようにしたもので、外形的には電話手段３６、プリント出力装置３２ｂ、キーボード３３ｂ、バーコードスキャナー３３７ａから成る。
【００２５】
上記の電話手段３６は、公知の電話機の電話機能を基本構成として使われる送受話器、ダイヤルボタン、本社直通連結ボタンなどから成り、また顧客の有線又は無線電話機を通じて送信される注文電話を受信して入力された商品注文内訳情報を出力するＬＣＤ画面窓を備える。
【００２６】
上記のプリント出力装置３２ｂは、多様な機能を具備している制御ボタンと、顧客の注文内訳に対する情報を出力することができる用紙を具備し、顧客の有線又は無線電話機を通じて送信される商品の注文情報を上記の用紙上に記載して出力されるようにしてある。そして、上記のキーボード３３ｂはそれぞれのボタンに特別に相応する固有機能が付け加えられ、顧客の注文情報に相応する注文伝票を作成するように所定の情報を入力して、インターネットショッピングモールに出物情報などを入力して送るようにし、上記バーコードスキャナー３３ａは販売する商品に対して商品別、規格別で分類されているバーコードを認識して入力した後、インターネットショッピングモールに該当の情報を提供するようにする。
【００２７】
図３は本発明に適用される注文確認装置３０の内部構成図である。
図示されているように、ＰＳＴＮ網及びインターネット網を通じて送信される顧客の注文内訳データを受信する通信手段３１と、顧客の注文情報をＬＣＤとプリント用紙上に出力する出力手段３２と、顧客の注文情報出力及びオンライン上のウェブサーバー１０へ送信の時、必要な情報を入力できるようにする入力手段３３と、顧客の基本情報及び注文情報を保存する保存手段３４と、利用者が設定する条件によって通信環境を設定して、上記のモジュールを制御して顧客の注文情報をリアルタイムに出力して、上記の注文情報をオンライン上に送るようにする制御手段３５と、電話手段３６とから成る。
【００２８】
上記通信手段３１は、モデム部３１ａ、ＣＩＤ処理部３１ｂ、ＵＤＰ（User Datagram Protocol）部３１ｃ及び通信変換部３１ｄから成り、上記モデム部３１ａはＰＳＴＮ網に連結されて顧客の有線又は無線電話機を通じて送信される注文情報データを受信できるようにするし、上記ＣＩＤ処理部３１ｂは顧客の注文情報を送る有線又は無線電話機の発信者番号表示を確認するようにして、上記ＵＤＰ部３１ｃはインターネット網を通じて送信されるデータの受信のためのＴＣＰ／ＩＰ接続を可能にし、上記通信変換部３１ｄは利用者により設定された設定値により、インターネット網又はＰＳＴＮ網における通信環境を設定することになる。
【００２９】
上記出力手段３２はＬＣＤ画面窓３２ａ、プリント出力装置３２ｂ及び出力変換部３２ｃから成り、上記のＬＣＤ画面窓３２ａはインターネット網又はＰＳＴＮ網を通じて送信される顧客の注文情報をオフライン注文内訳とオンライン注文内訳に分類して販売者側に提供するようにし、販売者側はＬＣＤ画面窓３２ａに表示された電話で注文受けて入力されている新しい取り引き内訳をオンライン上のウェブサーバー１０で送るようにし、上記プリント出力装置３２ｂはインターネット網又はＰＳＴＮ網を通じて受信された顧客の注文情報を用紙上に出力できるようにする。また、出力変換部３２ｃは制御手段３５の制御を受けてインターネット網又はＰＳＴＮ網を通じて受信された顧客注文情報データをＬＣＤ画面窓３２ａ又はプリント出力装置３２ｂに出力できるようにする。
【００３０】
上記の入力手段３３はバーコードスキャナ３３ａ、キーボード３３ｂ、ボタンパッド（図示されていない）及びマウス３３ｃから成り、上記バーコードスキャナ３３ａは、販売者が販売しようとする商品を商品別、規格別バーコードで分類して入力するようにし、上記キーボード３３ｂはＬＣＤ画面窓３２ａに表示された顧客の注文情報を修正したり、オンライン上のウェブサーバー１０へ顧客の購買情報を送る時に必要な情報を入力できるようにし、上記ボタンパッドはそれぞれのボタンごとに特性に相応しい固有機能を付け加えて必要な情報を入力できるようにし、上記マウス３３ｃは顧客の注文情報及び購買情報に対して必要な情報を入力できるようにする。
【００３１】
上記保存手段３４は固定式保存部３４ａと移動式保存部３４ｂから成り、上記固定式保存部３４ａは制御手段３５を運用できるように運用ソフトウェアが保存され、制御手段３５の初期化のためのデータが保存され、インターネット網又はＰＳＴＮ網に受信されるデータを認識するための使用空間として利用される。上記移動式保存部３４ｂは、フラッシュメモリーを使ってＰＳＴＮ網を通じて受信される顧客の電話番号が、会員登録された電話番号なのかを確認するために、会員として加入された顧客の電話番号を保存して、顧客が有線又は無線電話機を利用して注文したい商品を選択するための顧客管理ソフトウェアが保存され、注文内訳を作成できるようにする。
【００３２】
上記制御手段３５は、インターネット網又はＰＳＴＮ網を通じて受信される顧客の注文情報データを受信した後、入力された注文内訳に対する情報を、ＬＣＤ画面窓３２ａに出力するようにし、また、プリント出力装置３２ｂを通じて用紙上に注文伝票を作成して出力できるようにして、顧客の購買内訳の情報をオンラインを通じてコンテンツを提供するウェブサーバー１０へ送るように、該当する構成要素に制御信号により指示してシステムを制御するようにする。上記電話手段３６は、公知の一般電話機の形態と技術的な構成から成る。
【００３３】
図４は本発明に適用される注文確認システムの交換装置２０の構成図で、図５は本発明に適用される注文確認システムの交換装置２０の内部構成図である。
【００３４】
図示されたようにＰＳＴＮ網を通じてデータを送受信するマルチポートルータ（Multi-port Router）２３と、ウェブで生成されたデータを受信するウェブゲートウェーサーバー部２１と、上記のウェブゲートウェーサーバー部２１で生成されたデータをルータを通じて送信するためのＰＳＴＮゲートウェーサーバー部２２と、データをバックアップするバックアップサーバー部２４から成る。
【００３５】
上記マルチポートルータ２３は、注文確認装置３０が設置された加盟店の数による通信環境によってルータの数Ｎ個が変動的に運営され、モデム部２３ａとＭＰＵメモリー部２３ｂから成り、ＰＳＴＮで生成されたデータを受信してＰＳＴＮゲートウェーサーバー部２２で送信されたデータを送信できるように、ＰＳＴＮゲートウェーサーバー部２２とＲＳ２３２Ｃ通信で連結で連結される。
【００３６】
上記ウェブゲートウェーサーバー部２１は、インターネットショッピングモール１０のインターネット注文データが保存されているデータベース部１４を日程時間間隔で検索し、リアルタイムで該当のデータを取り出すこともでき、またインターネットショッピングモール１０でインターネット注文データが保存されているデータベース部１４の注文データを送る場合、受信できるようにしてＴＣＰ／ＩＰで連結されたＰＳＴＮゲートウェーサーバー部２２へ該当のデータを送り、上記ＰＳＴＮゲートウェーサーバー部２２から送信されたデータは、インターネットショッピングモール１０に送られデータベース部１４に保存されるようにする。
【００３７】
上記ＰＳＴＮゲートウェーサーバー部２２はウェブゲートウェーサーバー部２１から送信されるデータをＰＳＴＮ網を通じて送るようにデータを変換して、マルチポートルータ２３の該当のルータへデータを送り、ＰＳＴＮ網を通じて該当の注文確認装置３０へ該当のデータが送信されて保存手段に保存されるようにし、上記注文確認装置３０からＰＳＴＮ網を通じて送信されたデータは該当のルータを経由して受信することになるが、この時受信されたデータをインターネット網を通じて送信できるようにデータを変換してウェブゲートウェーサーバー部２１に送る。
【００３８】
上記バックアップサーバー部２４は、インターネットショッピングモール１０と各加盟店に設置された注文確認装置３０相互間に送信されるデータを一定時間の間、所定の分類体系によってデータを該当のレコードとフィールド上に保存できるようにする。
【実施例】
【００３９】
次に、上記のように構成された本発明によるサービスが提供される過程を説明する。
図６は本発明に適用される発信番号表示を利用した注文確認する過程を図示した流れ図である。所定のコンテンツを提供するインターネットサイトに会員に加入された顧客が有線又は無線電話機を利用してＰＳＴＮ網を通じて、販売者側に設置された注文確認装置３０に電話をかけると（ステップ１００）、電話局の交換器を通すことになるが、この過程で発信番号表示サービスによって電話通話を発信した所の電話番号を電話局で保有している加入者データベースで確認した後、確認された電話番号を販売者側に設置された注文確認装置３０で発信するようになる（ステップ１１０）。
【００４０】
上記注文確認装置３０は、電話回線を通じて送信された電話番号を受信し（ステップ１２０）、受信された電話番号を保存手段３４に保存されているデータベース上の電話番号と比べ（ステップ１３０）、受信された電話番号がデータベース上の電話番号と一致すれば、保存手段に保存された顧客の基本情報をＬＣＤ画面窓３２ａに表示し（ステップ１４０）、顧客管理プログラムが実行され入力された顧客の注文情報を出力した後（ステップ１５０）、プリント出力装置３２bを通じて用紙上に注文伝票を出力する（ステップ１６０）。また、受信された電話番号がメモリー部のデータベース上の電話番号と一致しなければ、ＬＣＤ画面窓に新規顧客であることを表示して通話モードへ連結し（ステップ１７０）、一般電話への信号を連結させることができるようにする（ステップ１８０）。
【００４１】
すなわち、コンテンツを提供するインターネットサイトに会員として加入された顧客が有線又は無線電話機を利用して電話通話を試みれば、電話局の交換器を経由する過程で電話局で保有している上記加入者データベースで顧客の電話番号が検索され、販売者側に設置された注文確認装置３０に送信されるが、このような発信番号表示サービスを利用する場合、発信者の電話番号データは電話局で着信者に送る一番目のベル信号と二番目のベル信号の間に挟まれて送信され、上記注文確認装置３０は電話部のリング検出回路によって、電話回線を通じて送信される一番目の着信ベルの信号を捕捉し、直後に送信される信号を捜してＦＳＫ（Frequency Shift Keying）ＤＡＴＡ方式で送信される電話番号データがあれば、直ちにこの電話番号を受信して、保存手段３４のデータベース上に保存されている顧客の電話番号と比較、分析することになる。
【００４２】
分析された結果、受信された電話番号を保存手段３４に保存されている電話番号が一致すれば、注文確認装置３０は会員顧客として認識して顧客の注文を入力できるように、顧客管理プログラムを実行してＬＣＤ画面窓３２a及びプリント出力装置３２ｂを通じて顧客の注文伝票を出力できるようにする。注文受付処理方法をより詳しく説明すれば、顧客の基本情報は電話着信と同時にＬＣＤ画面窓３２aに表示され、顧客が注文する商品を選択できるように商品供給者が直接入力した取り扱い商品が表示される。商品供給者は顧客の要請によって商品の種類と数量を選択して確認すればプリント出力装置３２bに出力され、そして保存手段３４に保存される。
【００４３】
受信された電話番号と保存手段３４に保存されている電話番号が一致しなければ、注文確認装置３０は保存手段３４に顧客情報がない顧客であるということをＬＣＤ画面窓３２aに新規顧客として表示し、注文確認装置３０の保存手段３４に保存されたＰＳＴＮ交換器の電話番号と一致する場合、データ受信のための専用モードに変換されてデータを受信した後、出力できるようにする。
【００４４】
上記のように注文確認装置３０が発信者の電話番号を受信した後、これを保存手段３４のデータベースと比べて会員顧客または新規顧客として認識する過程は一番目の着信ベル信号の後、二番目の着信ベル信号が伝達される前に完了するようになるが、一般的に発信番号表示サービスを利用する場合、一番目の着信ベル信号は無音なので実際には、電話手段３６にはベルが鳴らずに二番目の着信ベル信号から電話手段３６で音が鳴る。したがって、インターネットショッピングモールに会員として加入された顧客の電話を自動で選別して出力してくれる注文確認装置３０によって販売者はベルの鳴る電話は無条件に一般電話だと思って受ければ良いので、一つの電話回線でインターネットで注文する商品注文情報と一般電話の使用が可能となる。
【００４５】
また、インターネットショッピングモール１０を管理する管理者がショッピングモールサイトで顧客の商品注文情報を受け付けたり、またインターネットショッピングモール１０のコールセンター４０で顧客の商品注文情報を受け付ける場合は、これをリアルタイムでデータを送信処理した後、顧客が購入したいと願う該当の商品を販売する加盟店の注文確認装置３０に商品注文情報をＰＳＴＮ網を通じて送るようになるが、この時インターネットショッピングモール１０はいつも特定の電話番号を利用してデータを発信して発信番号表示サービスを通じて加盟店の注文確認装置３０に特定の電話番号が出力できる。この場合多くの会員を保有しているインターネットショッピングモール１０の特性上、一度に多数の個所へデータを送らなければならない場合も発生するから、これを処理するためには交換器の増設を必要とする。
【００４６】
上記のインターネットショッピングモール１０でデータを発信するようになると、上記のデータは電話局の交換器を通すようになるが、この過程で発信番号表示サービスによってデータを発信した所の電話番号を電話局で保有している加入者データベースで確認した後、確認された電話番号を着信者に先に発信するようにし、該当の加盟店の注文確認装置３０はＰＳＴＮ網を通じて送信された電話番号を先に受信し、受信された電話番号を保存手段３４に保存されたデータベース上の電話番号と比べて、受信された電話番号がデータベース上のインターネットショッピングモールの電話番号と一致すれば、データ通信モードで自動的に切り替えて以後に受信されるデータを自動保存した後、これを処理して出力し、また受信された電話番号がデータベース上の電話番号と一致しなければ、一般電話モードに自動的に切り替えて一般電話で信号を連結させるようにする。
【００４７】
図７は本発明に適用される注文確認システムを利用して商品注文及びオンライン実績認証過程を図示した流れ図である。
一般的なインターネットの利用者がオンライン上で所定のコンテンツを提供するインターネットショッピングモール１０を利用するためには接続部１１を通じて接続した後、会員認証部１２を通じて会員加入をし（ステップ２００）、上記インターネットショッピングモールから要求される基本的で必須の会員情報である住所、名前、電話番号、携帯電話番号などの情報を入力して会員加入手続きを行うようにする。この時、インターネットショッピングモールは顧客の情報をサービス提供の目的に利用することの同意を求めた後、ウェブサーバー１０のデータベース部１４に保存された顧客の情報を加盟店である販売者側の注文確認装置３０に送って保存することになる（ステップ２１０）。
【００４８】
上記インターネットショッピングモール１０の会員として加入された顧客は、加盟店である販売者側に設置された注文確認装置３０へ電話をする場合（ステップ２１５）、着信電話の発信者番号表示サービスによって提供された電話番号を受信して保存手段３４に保存された顧客の電話番号情報の中で同一な電話番号が存在するかどうかを検索した後（ステップ２２０）、同一の顧客の電話番号が存在する場合、上記保存手段３４に保存された顧客の情報をＬＣＤ画面窓３２ａに出力した後（ステップ２３０）、通話を連結して（ステップ２３５）、また、受信された電話番号が保存手段３４に保存された顧客の電話番号の中に存在しない場合は、新規顧客であることをＬＣＤ画面窓３２ａに表示した後（ステップ２２５）、通話を連結する（ステップ２３５）。
【００４９】
この時、注文確認装置３０はインターネットショッピングモールの広告のために電話通話連結の前に文字で“○○サイト顧客です”と知らせてくれることもできて、録音されたメモリーを利用して音声で知らせてくれた後に通話を連結をして広告効果を極大化することもできる。
【００５０】
上記注文確認装置３０と顧客の有線又は無線電話が連結されると制御手段３５は、保存手段３４に保存された顧客管理ソフトウェアを実行させて（ステップ２４０）、ＬＣＤ画面窓に顧客のリストが表示された状態で既に入力された加盟店の取り扱い商品、規格、数量、選択オプションなどに対する情報を一目瞭然に見られるように表示し、上記ＬＣＤ画面窓３２ａに表示されたメニューを選択してバーコードスキャナ３３ａ、キーボード３３ｂ、マウス３３ｃなどの入力部３３を通じて所定の情報が入力される（ステップ２４５）。上記加盟店の取り扱い商品、規格、数量、選択オプションに対する情報は注文確認装置３０をセッティングしながら該当の加盟店の取り扱い商品に対する情報をあらかじめ利用者が入力しておいた情報を言うことで、初めて電話をした新規顧客の場合は通話の後に住所データと電話番号データを顧客データベースに保存して会員登録手続きを通すようにする。
【００５１】
顧客の注文情報が入力されれば、最終的な注文情報を保存、修正又は削除するかを選択するが（ステップ２５０）、保存する場合は最終的な顧客の注文情報をＬＣＤ画面窓３２ａに表示した後（ステップ２５５）、インターネットショッピングモールのウェブサーバー１０へ注文情報データを送ってデータベース部１４に保存されて顧客情報がアップデートされるようにすることで（ステップ２６０）、顧客が有線又は無線電話を利用して商品を注文する場合にもオンライン上の取り引き実績として認証されることができるようにする。
【００５２】
上記の過程を通じて顧客の注文情報が最終的に入力されてＬＣＤ画面窓３２ａに表示されると、制御手段３５はプリント出力装置３２ｂに制御信号により指示して出力用紙上に顧客の注文情報を印刷して注文伝票が出力されるようにする（ステップ２６５）。上記のプリント出力装置３２ｂを通じて用紙上に出力される出力物の形態を見れば、図９に図示されたもののように注文情報が記載された注文書を顧客用と業店用を分類して出力されるようにして、商店別に売上げの集計が成り立つようにすることで、顧客の管理及び業務効率性を進め、留守番中に顧客の電話がかかってきた場合は顧客の電話番号データを検索して着信日付、時間、顧客の名前を保存して、それによる処理結果を出力できるようにして顧客管理が優先的に成り立つようにする。
【００５３】
上記のように留守番中で注文確認装置３０と顧客の有線及び無線電話機が電話連結通話が成り立たない場合、制御手段３５は留守番中であることを知らせる制御信号を交換装置２０を通じてインターネットショッピングモールで送り、上記インターネットショッピングモールは特定加盟店の注文確認装置３０から送信される留守番中の信号値を受信してウェブサイト上で表示されている該当の加盟店を表示するアイコンが非活性化されるようにして留守番中であることを表示するようにする。加盟店で留守番中が設定されれば、システムプログラムで留守番中の設定に対する正常又は誤入力に対する確認を加盟店運営者の携帯電話機に短文メッセージを送って確認する。
【００５４】
図８は本発明に適用されるインターネット網を通じて商品注文する過程を図示した流れ図である。
顧客がインターネットショッピングモール１０の接続部１１を通じて接続して、会員認証部１２を通じて会員認証過程を経て会員権限を受けた後、購買、予約、注文、出物登録などの情報を入力して、購買を願う商品を販売する加盟店を選択した後、該当の加盟店に注文情報データを送るようになれば（ステップ３００）、システム運営部１３は顧客の注文情報をデータベース部１４に保存した後、交換装置２０で上記注文情報データを送る。
【００５５】
上記の交換装置２０のウェブゲートウェーサーバー部２１でデータを受信した後（ステップ３１０）、上記の注文情報データをＰＳＴＮゲートウェーサーバー部２２で送ってＰＳＴＮ網を通じて注文情報データを送るようにデータ変換作業をする。
【００５６】
上記ＰＳＴＮゲートウェーサーバー部２２を通じて顧客の注文情報データの変換作業が成り立てば、該当の加盟店と連結されるマルチポートルータ２３中の該当のルータを設定した後（ステップ３２０）、顧客の注文情報データを送って販売者側に設置された注文確認装置３０に電話かけることを試みる（ステップ３３０）。
【００５７】
通話を試みて通話中である場合には（ステップ３４０）、電話をかけるのをやり直しして（ステップ３４５）、通話中ではない場合、注文確認装置３０はＣＩＤ処理部３１ｂを通じて交換装置２０から送信される交換装置２０に付与された電話番号と保存手段３４に保存された電話番号と対照して、一致する場合には通信モードに変換して交換装置２０のルータとの連結を試みて、顧客の注文情報を受信できるようにするし（ステップ３５０）、一致する電話番号データが存在しない場合には一般電話モードに変換して電話に繋がれるようにする。
【００５８】
上記注文確認装置３０のモデム部３１ａを通じて接続して（ステップ３６０）顧客の注文情報データを受信すれば（ステップ３７０）、受信されたデータをプリント出力装置３２ｂに送った後（ステップ３８０）、プリント出力可能かどうかを確認して（ステップ３９０）、プリント状態が不完全ならばプリント待機モードに設定して（ステップ３８５）、プリント出力が可能な場合には最終的に出力可否を確認して用紙上に注文伝票を作成して出力できるようにする（ステップ３９５）。
【００５９】
また上記のインターネットショッピングモール１０に会員として加入された顧客は通信会社が提供する代表電話サービスである１５８８や７００電話番号で繋がれるコールセンター４０へ電話をかけてカウンセラーを通じて購買したいと願う商品に対する注文情報を提供するようにし、カウンセラーを通じて入力された顧客の注文情報データを該当の加盟店に送るようになれば、交換装置２０を通じて該当の加盟店に設置された注文確認装置３０に送信されて、上記の注文確認装置３０はコールセンター４０から送信された顧客の注文情報を受信して出力用紙上に該当の注文情報を出力できるようにする。
【００６０】
以上のように、本発明は、有線又は無線電話を利用してインターネットショッピングモールの加盟店で販売する所定の商品を購買する場合、発信番号表示サービスを利用して商品注文電話なのか一般電話なのかを確認した後、顧客の注文情報を入力できるようにして、顧客の取り引き内訳に対する情報はインターネットショッピングモールのウェブサーバーへ送って取り引き実績に認証されるようにする。以上で説明した本発明は、本発明が属する技術分野で通常の知識を持った者によって本発明の技術的思想を脱しない範囲内で様々な置き換え、変形及び変更が可能なので前記した実施例及び添付された図面に限定されるものではない。
【図面の簡単な説明】
【００６１】
【図１】本発明に適用される注文確認システムを利用したオンライン実績認証過程を図示した構成図である。
【図２】本発明に適用される注文確認装置の斜視図である。
【図３】本発明に適用される注文確認装置の内部構成図である。
【図４】本発明に適用される注文確認システムの交換装置の構成図である。
【図５】本発明に適用される注文確認システムの交換装置の内部構成図である。
【図６】本発明に適用される発信番号表示を利用した注文確認する過程を図示した流れ図である。
【図７】本発明に適用される注文確認システムを利用して商品注文及びオンライン実績認証過程を図示した流れ図である。
【図８】本発明に適用されるインターネット網を通じて商品注文する過程を図示した流れ図である。
【図９】本発明に適用される注文確認装置によって出力される出力物を図示した例示図である。
【符号の説明】
【００６２】
１０  インターネットショッピングモール
１１  接続部                    １２  会員認証部
１３  システム運営部            １４  データベース部
２０  交換装置                  ２１  ウェブゲートウェーサーバー部
２２  ＰＳＴＮゲートウェーサーバー部
２３  マルチポートルータ        ２４  バックアップサーバー部
３０  注文確認装置              ３１  通信手段
３１a  モデム部                 ３１b  ＣＩＤ処理部
３１c  ＵＤＴ部                 ３１d  通信変換部
３２  出力手段                  ３２a  ＬＣＤ画面窓
３２b  プリント出力装置         ３２c  出力変換部
３３  入力手段                  ３３a  バーコードスキャナー
３３b  キーボード               ３３c  マウス
３４  保存手段                  ３４a  固定式保存部
３４b  移動式保存部             ３５  制御手段
３６  電話手段                  ４０  コールセンター
【図１】
2006012020.tif 000003
【図２】
2006012020.tif 000004
【図３】
2006012020.tif 000005
【図４】
2006012020.tif 000006
【図５】
2006012020.tif 000007
【図６】
2006012020.tif 000008
【図７】
2006012020.tif 000009
【図８】
2006012020.tif 000010
【図９】
2006012020.tif 000011